(57)【要約】【課題】  妊婦に腹部の支えを快適に感じさせ、かつ腰サポートおよび猫背抑制の機能を果たすことが可能な調整式補助腹帯を提供する。【解決手段】  調整式補助腹帯は、サポーター２、板状腰サポーター４および２つの調整ベルト３を備える。サポーター２は巾の大きい保護体２０と、保護体２０の両側から延びる巾の小さいベルト２１、２２と、ベルト２１、２２の端部の結合ユニットとを有する。保護体２０は妊婦の下腹部を支え、ベルト２１、２２に連結する調整ベルト３は妊婦の腰部を囲み背部で相互に連結することで妊娠中期の妊婦に腹部を支える。板状腰サポート４は、妊婦の背部に密着する基板４０と、基板４０に配置された複数の支持ユニット４１と、基板４０の外面に配置された連結ベルト４３、４４とを有する。板状腰サポート４は、妊娠後期に用いられ、妊婦の腰椎を支持し、妊婦の腰痛および不快感を緩和する。【選択図】  図１
0003173745.tif 000002
【実用新案登録請求の範囲】
【請求項１】
巾の大きい保護体、前記保護体の両側から延びるよう形成される巾の小さい一対のベルト、および、前記ベルトの端部に配置される結合ユニットを有するサポーターと、
布地で覆われた基板、複数の支持ユニットを収納できるよう前記基板の外側面に配置された複数の布地ポケット、複数の前記布地ポケットの外側面に配置された連結ベルト、および、前記連結ベルトの外側面に配置された結合ユニットを有する板状腰サポーターと、
細長い本体、および、前記細長い本体の両端に配置された結合ユニットを有する少なくとも一つの調整ベルトと、
を備え、
前記板状腰サポーターは、妊婦の背部に密着するよう装着可能であり、
前記サポーターは、前記保護体で妊婦の下腹部を支えつつ一対の前記ベルトで妊婦の腰部を囲み、一対の前記ベルトの端部が前記板状腰サポーターの前記連結ベルトに連結されるよう装着可能であり、
前記調整ベルトは、妊婦の上腹部および腰部を囲み、前記板状腰サポーターの前記連結ベルトに連結されるよう装着可能であることを特徴とする調整式補助腹帯。
【請求項２】
前記結合ユニットは、面ファスナーであることを特徴とする請求項１に記載の調整式補助腹帯。
【請求項３】
前記支持ユニットは、プラスチック片であることを特徴とする請求項１に記載の調整式補助腹帯。
【請求項４】
前記支持ユニットは、硬さを調整できる支持棒であることを特徴とする請求項１に記載の調整式補助腹帯。
【請求項５】
妊婦の下腹部の支えに用いられる巾の大きい保護体と、前記保護体の両側から延びるよう形成され内面に結合ユニットを有する巾の小さい一対のベルトとを有するサポーターと、
細長い本体、および、前記細長い本体の両端に配置された結合ユニットを有し、前記サポーターの前記ベルトに連結され、妊婦の腰部および背部を囲むよう装着可能な少なくとも一つの調整ベルトと、
を備えることを特徴とする調整式補助腹帯。
【考案の詳細な説明】
【技術分野】
【０００１】
本考案は、調整式補助腹帯に関するものである。
【背景技術】
【０００２】
妊婦が妊娠中に腰痛や背部の痛みを感じる原因は姿勢の変化にある。特に妊娠中期・後期に腰椎が変形し、猫背になり、胎位が低くなることに起因して腰痛、背部の痛み、手の痺れおよび早期出産を引き起こす可能性がある。
補助腹帯は、妊婦の腹部の重みおよび負担を緩和し、妊婦の身体が不自然に後に傾く姿勢を避け、腰痛および背部の痛みを減少させることができる。腰痛の症状、胎位異常および子宮下垂を緩和するため、妊婦は妊娠中期に身体の状況に基づいて補助腹帯使用を医師に薦められることがある。
【考案の概要】
【考案が解決しようとする課題】
【０００３】
本考案は、妊婦に腹部の支えを快適に感じさせ、かつ腰サポートおよび猫背抑制の機能を果たすことが可能な調整式補助腹帯を提供することを主な目的とする。
【課題を解決するための手段】
【０００４】
本考案による調整式補助腹帯は、サポーター、板状腰サポーターおよび少なくとも一つの調整ベルトを備える。サポーターは、巾の大きい保護体と、保護体の両側から延びるよう形成された巾の小さい一対のベルトと、ベルトの端部に配置された結合ユニットとを有する。保護体は妊婦の下腹部を支える。一対のベルトは、妊婦の腰部を囲み、妊婦の背部で相互に連結するよう装着可能であり、妊娠中期の妊婦に腹部を支える効果を与える。
【０００５】
板状腰サポートは、布地から覆われた基板と、複数の支持ユニットを収容できるよう基板の外側面に配置された複数の布地ポケットと、布地ポケットの外側面に配置された複数の連結ベルトと、連結ベルトの外側面に配置された結合ユニットとを有する。板状腰サポートは、妊婦の背部に密着するよう装着可能であり、基板上の支持ユニットによって腰椎を支持する。連結ベルトは、保護体が妊婦の下腹部に位置する状態でサポーターのベルトに連結される。また、連結ベルトは、妊婦の上腹部を囲む調整ベルトに連結される。調整ベルトは、サポーターが下腹部を支える力を増強し、妊婦の腰痛および不快感を緩和する。
【図面の簡単な説明】
【０００６】
【図１】本考案の第１実施形態による調整式補助腹帯を示す分解斜視図である。
【図２】本考案の第１実施形態による調整式補助腹帯のうち妊娠中期に着用されるときの構成を示す図である。
【図３】本考案の第１実施形態による調整式補助腹帯が妊娠中期に着用された状態を示す図である。
【図４】本考案の第１実施形態による調整式補助腹帯が妊娠中期に着用された状態を背面から見た図である。
【図５】本考案の第１実施形態による調整式補助腹帯が妊娠後期に着用された状態を示す図である。
【図６】本考案の第１実施形態による調整式補助腹帯が妊娠後期に着用された状態を背面から見た図である。
【図７】図６に対しベルトおよび調整ベルトが緩められた状態を示す図である。
【図８】本考案の第２実施形態による調整式補助腹帯の板状腰サポーターを示す図である。
【図９】本考案の第３実施形態による調整式補助腹帯の板状腰サポーターおよび連結ベルトを示す図である。
【考案を実施するための形態】
【０００７】
以下、本考案による調整式補助腹帯を図面に基づいて説明する。
（第１実施形態）
図１に示すように、本考案の第１実施形態による調整式補助腹帯は、サポーター２、２つの調整ベルト３および板状腰サポーター４を備える。サポーター２は巾の大きい保護体２０と、保護体２０の両側から延びるよう形成された巾の小さいベルト２１、２２とを有する。保護体２０および巾の小さいベルト２１、２２は一体となるように同じ布地を裁断して製作されてもよい。巾の小さいベルト２１、２２は末端内側に板状腰サポーター４の結合に用いる結合ユニットのフック面２３を有する。
【０００８】
結合ユニットは、面ファスナー、スナップファスナーまたはボタンなどから構成され得る。本実施形態では面ファスナーから構成される。
調整ベルト３は、細長い形に形成される。一方の調整ベルト３は、一端の裏および表に他方の調整ベルト３やベルト２１との結合に用いるフック面３００および図示しないループ面を有し、他端の裏および表に他方の調整ベルト３や板状腰サポーター４との結合に用いるフック面３１および図示しないループ面を有する。
他方の調整ベルト３は、一端の裏および表に一方の調整ベルト３やベルト２２との結合に用いる図示しないフック面およびループ面３０を有し、他端の裏および表に一方の調整ベルト３や板状腰サポーター４との結合に用いる図示しないフック面およびループ面３１０を有する。
【０００９】
板状腰サポーター４は、布地から覆われた基板４０と、支持ユニット４１を収納できるように基板４０の外側面に固定された複数の布地ポケット４００と、基板４０の外側面に固着された上層連結ベルト４３および下層連結ベルト４４とを有する。上層連結ベルト４３および下層連結ベルト４４は結合ユニットのループ面４２を有する。結合ユニットは、面ファスナーの他、スナップファスナーまたはボタンなどから構成してもよい。上層連結ベルト４３は調整ベルト３の連結に用いられ、下層連結ベルト４４はサポーター２のベルト２１、２２の連結に用いられるため、妊婦は妊娠状態に応じて異なるユニットを組み合わせて着用することができる。
【００１０】
図２〜図４に示すように、本考案による調整式補助腹帯は妊娠中期の妊婦の着用に対応することができる。妊娠中期の妊婦は腹部が大きくないが、腰部および腰椎にかなりの負担をかける。それに対し、本考案による調整式補助腹帯を着用する際、サポーター２の巾の大きい保護体２０は妊婦５の下腹部５０を支える。
【００１１】
保護体２０のベルト２１、２２は、端部の裏のフック面２３と調整ベルト３の端部の表のループ面３０とを結合させ、そののち妊婦５の腰部の両側に沿って妊婦５の下背部まで引っ張られる。このとき図３および図４に示すように調整ベルト３の両端を相互に結合させて固定すればサポーター２を妊婦５の下腹部５０に位置させ、サポート作用を有する支持力を生成することができる。かつ図３に示すように妊婦５の腹部の変化に応じて調整ベルト３の結合位置を調整することによって腹部を支える力を妊婦５の最も快適な具合まで調整すれば、束縛されて生じた不快感を減少させることができる。
【００１２】
図５に示すように、出産予定日が近付けば妊婦５の腹部が大きくなる。それに対し、本考案による調整式補助腹帯を着用する際、図１、図５および図６に示すように、サポーター２のベルト２１、２２は妊婦５の腰部を囲み、かつ端部の裏のフック面２３と妊婦５の背部に位置する板状腰サポーター４の下層連結ベルト４４のループ面４２とを結合させて固定することによって巾の大きい保護体２０および板状腰サポーター４をそれぞれ妊娠後期の妊婦５の腹部および背部に位置させる。
【００１３】
調整ベルト３は、端部の裏のフック面３１と妊婦５の背部に位置する板状腰サポーター４の上層連結ベルト４３のループ面４２とを結合させ、そののち妊婦５の腰部に沿って上腹部まで引っ張られる。このとき図５に示すように一方の調整ベルト３の端部の裏のフック面３００と他方の調整ベルト３の端部の表のループ面３０とを結合させ、調整ベルト３を上方に連結し、巾の小さいベルト２１、２２を下方に連結し、板状腰サポーター４を固定すれば、サポーター２の下腹部を支える力を増強し、妊婦の腰痛および不快感を緩和することができる。
【００１４】
図７に示すように、妊婦に腹部を支える最適の効果を提供するために、巾の小さいベルト２０、２１と板状腰サポーター４の下層連結ベルト４４との結合位置および調整ベルト３と板状腰サポーター４の上層連結ベルト４３との結合位置を調整することによって保護体２０の腹部を上に支える束縛力を緩め、妊娠後期の着用に対応し、かつ快適な装着効果を果たすことができる。
【００１５】
図８に示すように、本考案の第２実施形態による調整式補助腹帯の支持ユニットは、板状腰サポーター４の外側面に複数の密閉されたエアバック６を配置し、密閉されたエアバック６に気体または液体を充満させ、気体または液体によって支持効果を果たすことによって腰部および脊椎の負担の比較的小さい妊娠初期の着用に対応し、不快感緩和、腰サポーターおよび猫背抑制を達成することできる。
【００１６】
サポーター２の巾の小さいベルト２１、２２の長さが足りなく、板状腰サポーター４の連結ベルト４３、４４との結合ができない際、図９に示すように、本考案の第３実施形態による調整式補助腹帯の板状腰サポーター４は、連結ベルト４３、４４の長さを伸ばして拡張型連結ベルト７を構成することによって巾の小さいベルト２１、２２の結合および固定の便をはかることができる。
【符号の説明】
【００１７】
２    ：サポーター
２０  ：保護体
２１  ：ベルト
２２  ：ベルト
２３  ：フック面
３    ：調整ベルト
３０  ：ループ面
３００：フック面
３１  ：フック面
３１０：ループ面
４    ：板状腰サポーター
４０  ：基板
４００：布地ポケット
４１  ：支持ユニット
４２  ：ループ面
４３  ：上層連結ベルト
４４  ：下層連結ベルト
５    ：妊婦
５０  ：下腹部
６    ：エアバック
７    ：拡張型連結ベルト
【図１】
0003173745.tif 000003
【図２】
0003173745.tif 000004
【図３】
0003173745.tif 000005
【図４】
0003173745.tif 000006
【図５】
0003173745.tif 000007
【図６】
0003173745.tif 000008
【図７】
0003173745.tif 000009
【図８】
0003173745.tif 000010
【図９】
0003173745.tif 000011